(57)【要約】【課題】１枚のシート状素材から容易に製造可能であると共に、閲覧性および広告宣伝効果を高めた封筒兼用冊子およびその製造方法を提供する。【解決手段】本発明に係る展開ページ付封筒兼用冊子の製造方法は、シート状素材３を、１回の曲折ごとに折り幅を拡大または縮小しながらページ部１４ａ〜１４ｃを一端側から蛇腹状に折り畳む第１ステップと、互いに対向する封筒部１２ａ、１２ｂとページ部１４ｃを第１ステップにおける折り線２１〜２３と直行する方向の綴じ線２４に沿って接着する第２ステップと、折り畳んだページ部１４ａ〜１４ｃが内側になるように封筒部１２ａ、１２ｂおよびページ部１４ａ〜１４ｃを綴じ線２４に沿って曲折する第３ステップと、フラップ部１５を折り畳んで封筒部１２ｂに接着する第４ステップと、封筒部１２ａ、１２ｂとページ部１４ｃの間の折り線２３部分を裁ち落とす第５ステップと、からなる。【選択図】図４
2010274920.tif 000002
【特許請求の範囲】
【請求項１】
封筒部と、
前記封筒部に接続されたページ部と、
前記封筒部に接続されたフラップ部と、からなるシート状素材を、
１回の曲折ごとに折り幅を拡大または縮小しながら前記ページ部を一端側から蛇腹状に折り畳む第１ステップと、
互いに対向する前記封筒部と前記ページ部を前記第１ステップにおける折り線と直行する方向の綴じ線に沿って接着する第２ステップと、
折り畳んだ前記ページ部が内側になるように前記封筒部および前記ページ部を前記綴じ線に沿って曲折する第３ステップと、
前記フラップ部を折り畳んで前記封筒部に接着する第４ステップと、
前記封筒部と前記ページ部の間の折り線部分を裁ち落とす第５ステップと、からなることを特徴とする、
展開ページ付封筒兼用冊子の製造方法。
【請求項２】
前記第２ステップの前に、前記綴じ線部分に糊を塗布する第６ステップをさらに有することを特徴とする、
請求項１に記載の展開ページ付封筒兼用冊子の製造方法。
【請求項３】
前記第４ステップの前に、前記フラップ部に糊を塗布する第７ステップをさらに有することを特徴とする、
請求項１または２に記載の展開ページ付封筒兼用冊子の製造方法。
【請求項４】
前記第１ステップの前に、前記シート状素材を所定の形状に切り出す第８ステップをさらに有することを特徴とする、
請求項１乃至３のいずれかに記載の展開ページ付封筒兼用冊子の製造方法。
【請求項５】
前記第８ステップにおいて、前記封筒部と前記フラップ部との間の折り線に沿って開封用ミシン目を形成することを特徴とする、
請求項４に記載の展開ページ付封筒兼用冊子の製造方法。
【請求項６】
前記第８ステップにおいて、切取用ミシン目に囲まれた切離し領域を、前記ページ部に形成することを特徴とする、
請求項４または５に記載の展開ページ付封筒兼用冊子の製造方法。
【請求項７】
請求項１乃至６のいずれかに記載の展開ページ付封筒兼用冊子の製造方法によって製造されることを特徴とする、
展開ページ付封筒兼用冊子。
【発明の詳細な説明】
【技術分野】
【０００１】
本発明は、封筒として郵送可能な冊子およびその製造方法であり、特に展開することが可能なページを備えるものに関する。
【背景技術】
【０００２】
従来、各種案内状において冊子を郵送する場合、冊子を封筒内に収容した上で郵送する必要があった。このため、ダイレクトメールのように一度に大量に発送する場合には、大量の封筒を冊子とは別に用意する必要があると共に、冊子を封筒内に入れる作業が必要となるため、非常にコストと手間がかかるものとなっていた。
【０００３】
これに対し、冊子をそのまま封筒として郵送することが可能な封筒兼用冊子が提案されている（例えば、特許文献１参照）。このように、冊子を封筒と兼用するようにすれば、冊子を封筒内に入れる作業を省略することができるため、ダイレクトメール等の発送のコストを低減することが可能となる。
【先行技術文献】
【特許文献】
【０００４】
【特許文献１】特開平７−３２９９８２号公報
【発明の概要】
【発明が解決しようとする課題】
【０００５】
しかしながら、上記特許文献１に記載の封筒兼用冊子では、三方に封緘フラップを備える表紙を複数枚の紙葉と共に綴じて製本した上で、封緘フラップを貼り付けて封緘する必要があるため、製造方法が複雑となるという問題があった。結果として、ダイレクトメールとして使用するには、多大なコストと手間を要するものとなっていた。
【０００６】
また、封緘フラップ等に複数の開封用ミシン目を形成し、封緘時にこれらを一致させるようにしているため、各ミシン目の位置が少しでもずれている場合には、非常に開封しにくいものとなるという問題があった。このため、ダイレクトメールを受領した者の開封意欲を阻害してしまう場合があり、冊子状にすることで内容を深め、広告宣伝効果を高めているにもかかわらず、受領者に内容を閲覧してもらえない可能性が高くなっていた。
【０００７】
また、封筒を定形郵便寸法にする場合には、冊子部分全体を二つ折りにした上で封緘するため、開封後の冊子に折りぐせが残ってしまい、非常に閲覧しにくいものとなるという問題があった。このため、受領者に内容を見てもらえず、ダイレクトメールの広告宣伝効果を阻害してしまう場合があった。
【０００８】
本発明は、このような問題点に鑑みてなされたものであって、１枚のシート状素材から容易に製造可能であると共に、閲覧性および広告宣伝効果を高めた封筒兼用冊子およびその製造方法を提供しようとするものである。
【課題を解決するための手段】
【０００９】
（１）本発明は、封筒部と、前記封筒部に接続されたページ部と、前記封筒部に接続されたフラップ部と、からなるシート状素材を、１回の曲折ごとに折り幅を拡大または縮小しながら前記ページ部を一端側から蛇腹状に折り畳む第１ステップと、互いに対向する前記封筒部と前記ページ部を前記第１ステップにおける折り線と直行する方向の綴じ線に沿って接着する第２ステップと、折り畳んだ前記ページ部が内側になるように前記封筒部および前記ページ部を前記綴じ線に沿って曲折する第３ステップと、前記フラップ部を折り畳んで前記封筒部に接着する第４ステップと、前記封筒部と前記ページ部の間の折り線部分を裁ち落とす第５ステップと、からなることを特徴とする、展開ページ付封筒兼用冊子の製造方法である。
【００１０】
（２）本発明はまた、前記第２ステップの前に、前記綴じ線部分に糊を塗布する第６ステップをさらに有することを特徴とする、上記（１）に記載の展開ページ付封筒兼用冊子の製造方法である。
【００１１】
（３）本発明はまた、前記第４ステップの前に、前記フラップ部に糊を塗布する第７ステップをさらに有することを特徴とする、上記（１）または（２）に記載の展開ページ付封筒兼用冊子の製造方法である。
【００１２】
（４）本発明はまた、前記第１ステップの前に、前記シート状素材を所定の形状に切り出す第８ステップをさらに有することを特徴とする、上記（１）乃至（３）のいずれかに記載の展開ページ付封筒兼用冊子の製造方法である。
【００１３】
（５）本発明はまた、前記第８ステップにおいて、前記封筒部と前記フラップ部との間の折り線に沿って開封用ミシン目を形成することを特徴とする、上記（４）に記載の展開ページ付封筒兼用冊子の製造方法である。
【００１４】
（６）本発明はまた、前記第８ステップにおいて、切取用ミシン目に囲まれた切離し領域を、前記ページ部に形成することを特徴とする、上記（４）または（５）に記載の展開ページ付封筒兼用冊子の製造方法である。
【００１５】
（７）本発明はまた、上記（１）乃至（６）のいずれかに記載の展開ページ付封筒兼用冊子の製造方法によって製造されることを特徴とする、展開ページ付封筒兼用冊子である。
【発明の効果】
【００１６】
本発明の封筒兼用冊子およびその製造方法によれば、１枚のシート状素材から容易に製造可能であると共に、閲覧性および広告宣伝効果を高めることが可能という優れた効果を奏し得る。
【図面の簡単な説明】
【００１７】
【図１】（ａ）および（ｂ）本発明の第１の実施形態に係る封筒兼用冊子の概略図である。
【図２】（ａ）および（ｂ）本発明の第１の実施形態に係る封筒兼用冊子の概略図である。
【図３】（ａ）および（ｂ）第１の実施形態に係る封筒兼用冊子の製造方法を示した概略図である。
【図４】（ａ）〜（ｆ）封筒兼用冊子の製造方法を示した概略図である。
【図５】本発明の第２の実施形態に係る封筒兼用冊子の概略図である。
【発明を実施するための形態】
【００１８】
以下、本発明の実施の形態を、添付図面を参照して説明する。
【００１９】
まず、本発明の実施形態に係る封筒兼用冊子１について説明する。図１（ａ）および（ｂ）、ならびに図２（ａ）および（ｂ）は、封筒兼用冊子１の概略図である。
【００２０】
図１（ａ）に示されるように、封筒兼用冊子１は、背部１０で綴じられると共に小口部１１で封緘された冊子であり、外側の封筒部１２と、封筒部１２内部に収容されたページ部１４から構成されている。封筒部１２は、背部１０において曲折された表表紙部１２ａおよび裏表紙部１２ｂから構成されている。表表紙部１２ａの小口部１１側の端部にはフラップ部１５が接続されており、封筒兼用冊子１は、このフラップ部１５を裏表紙部１２ｂに接着することによって封緘されるようになっている。封筒兼用冊子１の上端および下端は、開封を容易にするために開放されている。
【００２１】
この封筒兼用冊子１は、定形郵便の寸法、具体的には縦１４〜２３．５ｃｍ、横９〜１２ｃｍ、厚み１ｃｍ以下に構成されており、定形郵便の安価な料金で郵送できるようになっている。また、表表紙部１２ａおよび裏表紙部１２ｂには、図示は省略するが、例えば差出人の名称および住所や料金後納郵便の表示等の各種情報が予め印刷されている。
【００２２】
また、小口部１１（折り目部分）には開封用ミシン目が形成されており、この開封用ミシン目に沿って小口部１１を破断することにより、封筒兼用冊子１を開封し、内容を閲覧するようになっている。なお、開封を容易にするために、表表紙部１２ａの右上角部または右下角部等に開封の起点となるコーナーカットやノッチ等を設けるようにしてもよい。
【００２３】
図１（ｂ）は、封筒兼用冊子１を開封した状態を示している。同図に示されるように、ページ部１４は、表表紙部１２ａと裏表紙部１２ｂの間において蛇腹状に折り畳まれた状態で収容されている。具体的には、ページ部１４は、第１ページ部１４ａ、第２ページ部１４ｂおよび第３ページ部１４ｃから構成されている。各ページ部１４ａ〜１４ｃは、第１ページ部１４ａを最上面（最表面）とし、交互に逆方向に曲折することにより互いに折り重ねられた状態となっている。なお、各ページ部１４ａ〜１４ｃの枚数は３に限定されるものではなく、その他の枚数であってもよい。
【００２４】
本実施形態では、各ページ部１４ａ〜１４ｃは、横幅は全て略同一に構成されているが、第１ページ部１４ａよりも第２ページ部１４ｂの高さが高く、第２ページ部１４ｂよりも第３ページ部１４ｃの高さが高く構成されている。また、表表紙部１２ａおよび裏表紙部１２ｂは、第３ページ部１４ｃよりも高さが高く構成されている。
【００２５】
図２（ａ）は、封筒兼用冊子１を開封し、ページ部１４を見開き状態にした場合を示している。同図に示されるように、各ページ部１４ａ〜１４ｃ、ならびに表表紙部１２ａおよび裏表紙部１２ｂは、ページ部１４を見開き状態にした場合に、各ページ部１４ａ〜１４ｃが折り畳まれたままの状態であっても、少なくとも上下いずれか一端側近傍の一部の領域を視認することができるようになっている。
【００２６】
これにより、本実施形態では、ページ部１４を構成する各ページ部１４ａ〜１４ｃの枚数、ならびに各ページ部１４ａ〜１４ｃ、表表紙部１２ａおよび裏表紙部１２ｂの内容の一部を、折り畳まれた状態のまま、一目で受領者に認識させることを可能としている。このようにすることで、受領者の興味を即座に引きつけることができるため、受領者にページ部１４を展開させてさらに詳細な内容を閲覧させることが可能となる。すなわち、ダイレクトメール等の広告宣伝効果を最大限に発揮することが可能となる。なお、各ページ部１４ａ〜１４ｃまたは裏表紙部１２ｂの視認可能な一端側近傍の領域に、アイキャッチとなる見出しを表示するようにしてもよい。
【００２７】
図２（ｂ）は、封筒兼用冊子１のページ部１４を展開した状態を示している。同図に示されるように、本実施形態では、封筒兼用冊子１全体を定形郵便寸法に抑えながらも、ページ面積を大きくすることを可能としている。これにより、封筒兼用冊子１に含める情報量を増やすと共に、閲覧性を高めることができる。
【００２８】
さらに、本実施形態では、各ページ部１４ａ〜１４ｃの内容を、各ページ部１４ａ〜１４ｃを個別に開いて閲覧させるように構成するだけではなく、各ページ部１４ａ〜１４ｃを全て展開して１つの大きなページとして閲覧させるように構成することも可能となっている。例えば、各ページ部１４ａ〜１４ｃを見出しに基づいて順番に閲覧するように構成することもできるし、展開した各ページ部１４ａ〜１４ｃ全体に大きな写真や図表を掲載したりすることもできる。このように、本実施形態では、各ページ部１４ａ〜１４ｃの内容構成の自由度を高くしているため、ダイレクトメール等の目的に最適な内容構成を適宜に選択することで、広告宣伝効果を大幅に高めることが可能となっている。
【００２９】
次に、封筒兼用冊子１の製造方法について説明する。図３（ａ）および（ｂ）、ならびに図４（ａ）〜（ｇ）は、封筒兼用冊子１の製造方法を示した概略図である。
【００３０】
封筒兼用冊子１の製造では、まず、図３（ａ）に示されるように、所定の用紙からなる大判シート状素材２の表裏面に複数冊分の内容（図示省略）を、オフセット印刷機等によりまとめて印刷する。そして、同図（ｂ）に示されるように、１冊分のシート状素材３を、断裁機等により断裁し、切り出す。なお、大判シート状素材２における各シート状素材３の配列は、特に限定されるものではなく、大判シート状素材２およびシート状素材３の寸法や、印刷機および断裁機の仕様等に応じて適宜に決定すればよい。
【００３１】
１冊分のシート状素材３は、下から順に、横長の略長方形状の第１ページ部１４ａ、第２ページ部１４ｂおよび第３ページ部１４ｃが配置され、第３ページ部１４ｃの上方に縦長の略長方形状の表表紙部１２ａおよび裏表紙部１２ｂが左右に配置され、表表紙部１２ａの左側に縦長の略長方形状のフラップ部１５が配置された形状となっている。
【００３２】
このうち、表表紙部１２ａは、定形郵便の寸法と略同一に構成されている。そして、裏表紙部１２ｂの高さは定形郵便寸法と略同一に構成され、裏表紙部１２ｂの横幅は表表紙部１２ａの横幅よりも若干狭く構成されている。また、各ページ部１４ａ〜１４ｃの横幅は、裏表紙部１２ｂの横幅の略２倍に構成されている。従って、表表紙部１２ａは、左端が若干突出した状態となっている。フラップ部１５の横幅は、裏表紙部１２ｂに貼り付けて封筒兼用冊子１を封緘するために必要な糊代を確保できる幅に構成されている。
【００３３】
各ページ部１４ａ〜１４ｃおよび裏表紙部１２ｂの高さは、上述のように第１ページ部１４ａ、第２ページ部１４ｂ、第３ページ部１４ｃ、表表紙部１２ａおよび裏表紙部１２ｂの順に徐々に高くなるように構成されている。
【００３４】
シート状素材３の各部の境界線には、冊子状に製本するための折り線が設定されている。本実施形態では、第１ページ部１４ａと第２ページ部１４ｂとの境界線を第１折り線２１に、第２ページ部１４ｂと第３ページ部１４ｃとの境界線を第２折り線２２に、第３ページ部１４ｃと表表紙部１２ａおよび裏表紙部１２ｂとの境界線を第３折り線２３に設定している。
【００３５】
さらに、表表紙部１２ａと裏表紙部１２ｂとの境界線、およびこれに繋がる各ページ部１４ａ〜１４ｃの幅方向の中間線を第４折り線２４に設定している。また、表表紙部１２ａとフラップ部１５の境界線を第５折り線２５に設定している。
【００３６】
なお、本実施形態では、第４折り線２４のうち、表表紙部１２ａと裏表紙部１２ｂの境界部分、および第１ページ部１４ａ内の部分は、糊を塗布して互いに接着することにより、封筒兼用冊子１を冊子状に綴じるための綴じ線となっている。また、第５折り線２５は小口部１１に対応する部分であるため、開封用ミシン目３０が第５折り線２５に沿って形成されている。
【００３７】
本実施形態では、専用の抜き型を使用することによって、開封用ミシン目３０の形成、を、大判シート状素材２からのシート状素材３の断裁と同時に行うようにしているが、別のタイミングで行うようにしてもよい。また、シート状素材３の方向は特に限定されるものではなく、本実施形態で示すシート状素材３の上下左右または表裏を入れ替えるようにしてもよい。また、シート状素材３の材質は特に限定されるものではなく、用紙以外にも、例えば各種樹脂や金属等の薄板や、樹脂フィルムや金属箔等を積層した積層フィルム等からシート状素材を構成するようにしてもよい。
【００３８】
封筒兼用冊子１の製造では、次に、切り出した１冊分のシート状素材３を、製本機等により各折り線２１〜２５に沿って順に曲折していく。この工程では、まず、図４（ａ）に示されるように、シート状素材３を第１折り線２１に沿って曲折し、第１ページ部１４ａを第２ページ部１４ｂに折り重ねる。
【００３９】
次に、同図（ｂ）に示されるように、第１折り線２１のときとは逆方向にシート状素材３を第２折り線２２に沿って曲折し、第１ページ部１４ａおよび第２ページ部１４ｂを第３ページ部１４ｃに折り重ねる。
【００４０】
次に、糊塗布装置等により第４折り線２４の綴じ線部分に糊を塗布する。具体的には、次に第３折り線に沿ってシート状素材３を曲折した場合に対向することとなる第４折り線２４の、表表紙部１２ａと裏表紙部１２ｂの境界部分、および第１ページ部１４ａ内の部分のいずれか一方または両方に糊を塗布する。
【００４１】
次に、同図（ｃ）に示されるように、第２折り線２２のときとは逆方向にシート状素材３を第３折り線２３に沿って曲折し、第１ページ部１４ａ、第２ページ部１４ｂおよび第３ページ部１４ｃを表表紙部１２ａおよび裏表紙部１２ｂに折り重ねる。そして、対向する第４折り線２４の綴じ線部分を接着する。これにより、表表紙部１２ａ、裏表紙部１２ｂおよび各ページ部１４ａ〜１４ｃが冊子状に綴じられた状態となる。
【００４２】
このように、本実施形態の製造方法では、まず、各ページ部１４ａ〜１４ｃを、第１ページ部１４ａから（第１折り線２１から）順に蛇腹状に折り畳んでいく。各ページ部１４ａ〜１４ｃは順に高さが高くなっているため、１回の曲折ごとに折り幅を拡大しながら各ページ部１４ａ〜１４ｃを一端側から蛇腹状に折り畳むこととなる。
【００４３】
なお、第３ページ部１４ｃから（第３折り線２３）から順に各ページ部１４ａ〜１４ｃを折り畳んでいくようにしてもよい。この場合、１回の曲折ごとに折り幅を縮小しながら各ページ部１４ａ〜１４ｃを一端側から蛇腹状に折り畳むこととなる。
【００４４】
各ページ部１４ａ〜１４ｃを折り重ねたならば、次に、同図（ｄ）に示されるように、各ページ部１４ａ〜１４ｃが内側になるように、シート状素材３を第４折り線２４に沿って曲折する。上述のように、表表紙部１２ａは裏表紙部１２ｂよりも若干横幅が広いため、表表紙部１２ａとフラップ部１５の境界の第５折り線２５は、裏表紙部１２ｂおよび各ページ部１４ａ〜１４ｃの右端よりも若干右側に位置することとなる。
【００４５】
次に、糊塗布装置等によりフラップ部１５の表面、具体的には、第５折り線２５に沿って曲折した場合に裏表紙部１２ｂと対向する面に、糊を塗布する。なお、フラップ部１５表面への糊の塗布を、第４折り線２４部分への糊の塗布と同時に行うようにしてもよい。
【００４６】
次に、同図（ｅ）に示されるように、シート状素材３を第５折り線２５に沿って曲折し、フラップ部１５を裏表紙部１２ｂに接着する。これにより、封筒兼用冊子１が封緘されることとなる。最後に、同図（ｆ）に示されるように、下端に位置する第３折り線２３部分を断裁機等により裁ち落として、定形郵便寸法に成形することで、封筒兼用冊子１が完成する。なお、さらに上端部分を裁ち落として形を整えるようにしてもよい。
【００４７】
このように、本実施形態の製造方法によれば、１枚のシート状素材３から容易に展開ページ付の封筒兼用冊子１を製造することができる。また、綴じ糸や針金等を使用するのではなく、第４折り線２４の綴じ線部分の糊付けのみによって冊子状に綴じるため、高価な中綴じ機等を必要とせず、低コストで高速に大量の展開ページ付の封筒兼用冊子１を製造することができる。
【００４８】
このため、例えば大量のダイレクトメールを発送するような場合であっても、少ないコストと手間で展開ページ付の封筒兼用冊子１を大量に準備することが可能となり、展開ページを利用した広告宣伝効果を最大限に活用することができる。
【００４９】
次に、本発明の第２の実施形態について説明する。図５は、第２の実施形態に係る封筒兼用冊子６の概略図である。
【００５０】
同図に示されるように、封筒兼用冊子６は、第１の実施形態の封筒兼用冊子１において、第１ページ部１４ａに切取用ミシン目７０に囲まれた切離し領域７１を設けたものであり、その他の構成および製造方法は、封筒兼用冊子１と同様である。
【００５１】
これらの切離し領域７１には適宜の印刷が施されており、切離した後に例えば引換券や割引券等のクーポン券として使用することができるようになっている。すなわち、封筒兼用冊子６は、各種クーポン券を一体的に内蔵することが可能に構成されている。
【００５２】
このクーポン券を構成する切離し領域７１は、封筒兼用冊子６と一体的に構成されると共に封筒兼用冊子６内部に封緘されて収容された状態となるため、郵送中の脱落や紛失の恐れが無く、安全に各種クーポン券を宛先に送付することができる。なお、切離し領域７１を、その他の部分に設けるようにしてもよい。
【００５３】
封筒兼用冊子６の製造では、切離し領域７１を構成する切取用ミシン目７０の形成は、専用の抜き型を使用して、シート状素材３の断裁、および開封用ミシン目３０の形成と同時に行うことが好ましい。このようにすることで、各種クーポン券を内蔵した展開ページ付の封筒兼用冊子６を、少ないコストと手間で大量に準備することが可能となる。
【００５４】
以上、本発明の実施の形態について説明したが、本発明の封筒兼用冊子およびその製造方法は、上記した実施の形態に限定されるものではなく、本考案の要旨を逸脱しない範囲内において種々変更を加え得ることは勿論である。
【産業上の利用可能性】
【００５５】
本発明の封筒兼用冊子およびその製造方法は、広告宣伝用のダイレクトメールを始め、各種案内状やパンフレット、カタログ等の分野で利用することができる。
【符号の説明】
【００５６】
１、６  封筒兼用冊子
２  大判シート状素材
３  １冊分のシート状素材
１２  封筒部
１４  ページ部
１５  フラップ部
２１  第１折り線
２２  第２折り線
２３  第３折り線
２４  第４折り線
２５  第５折り線
３０  開封用ミシン目
７０  切取り用ミシン目
７１  切離し領域
【図１】
2010274920.tif 000003
【図２】
2010274920.tif 000004
【図３】
2010274920.tif 000005
【図４】
2010274920.tif 000006
【図５】
2010274920.tif 000007